(57)【要約】【課題】個人情報を安心して入力することができる電子機器を提供する。【解決手段】個人情報の入力を受け付ける電子機器である。電子機器は、電子機器の利用の際に供される画像を表示する第１表示部と、利用者が個人情報を入力するための入力部と、入力部によって入力された個人情報を表示する第２表示部と、を備えている。第１表示部が表示する画像の中には、個人情報の入力を促す画像が含まれており、入力部は前記第２表示部と連動して、個人情報の入力を受け付けない第１位置と、個人情報の入力を受け付ける第２位置との間を移動する。【選択図】図２
2020017108.tif 000002
【特許請求の範囲】
【請求項１】
個人情報の入力を受け付ける電子機器であって、
前記電子機器の利用の際に供される画像を表示する第１表示部と、
利用者が個人情報を入力するための入力部と、
前記入力部によって入力された個人情報を表示する第２表示部と、を備え、
前記第１表示部が表示する画像の中には、個人情報の入力を促す画像が含まれており、
前記入力部は前記第２表示部と連動して、個人情報の入力を受け付けない第１位置と、個人情報の入力を受け付ける第２位置との間を移動する、
ことを特徴とする電子機器。
【請求項２】
前記第２表示部は、前記第１表示部よりも小さい、
ことを特徴とする請求項１に記載の電子機器。
【請求項３】
前記入力部と前記第２表示部とを連動させる駆動部を備え、
前記駆動部は、前記第１表示部に個人情報の入力を促す画像が表示されると、前記入力部と前記第２表示部とを前記第１位置から前記第２位置へと移動させる、
ことを特徴とする請求項１又は２に記載の電子機器。
【請求項４】
前記入力部と前記第２表示部とは、前記電子機器の本体に移動可能に取り付けられており、
前記第１表示部に個人情報の入力を促す画像が表示され、前記入力部と前記第２表示部とが前記第１位置から前記第２位置へ移動されることにより個人情報の入力が可能となる、
ことを特徴とする請求項１又は２に記載の電子機器。
【請求項５】
前記第２表示部は、前記第２位置に移動すると個人情報を入力するための画像を表示する、
ことを特徴とする請求項３又は４に記載の電子機器。
【請求項６】
前記第１表示部が表示する画像と関連付けられた操作を受け付ける操作部をさらに備え、
前記第２表示部は、前記第２位置にあるときに前記操作部にされた操作に対応する内容を表示することができる、
ことを特徴とする請求項１〜５のいずれか１項に記載の電子機器。
【請求項７】
前記入力部と前記第２表示部とが前記第２位置にあるときに、入力された個人情報を周囲から視認されにくくする遮蔽部を備えている、
ことを特徴とする請求項１〜６のいずれか１項に記載の電子機器。
【発明の詳細な説明】
【技術分野】
【０００１】
本発明は、個人情報の入力を受け付ける電子機器に関する。
【背景技術】
【０００２】
個人情報を受け付ける電子機器の一つである自動販売機には、単に対価が支払われたことを条件に内部に収容した品物を提供するものだけでなく、利用者個人を特定して品物やサービスを提供するものがある。
【０００３】
特許文献１は、商品購入者が携帯している非接触媒体に記憶された個人情報を読み取ることができる自動販売機を開示している。この自動販売機は、読み取った個人情報に基づいて、商品購入者に密着した情報を提供することができる。
【先行技術文献】
【特許文献】
【０００４】
【特許文献１】特開２００７−４１７４９号公報
【発明の概要】
【発明が解決しようとする課題】
【０００５】
特許文献１に開示の自動販売機は、商品購入者が非接触媒体を携帯していなければ、商品購入者の個人情報を取得することは不可能である。そのため、個人を特定しなければ提供することができない商品やサービスを取り扱うことができなかった。そのために、自動販売機に個人情報を入力するための入力手段を設けたとしても、周囲の者に入力しようとする個人情報が見られることを恐れ、安心して個人情報を入力できないという問題がある。
【０００６】
本発明は、上記のような問題点を解決するためになされたものであり、個人情報を安心して入力することができる電子機器を提供することを目的としている。
【課題を解決するための手段】
【０００７】
本発明に係る電子機器は、
個人情報の入力を受け付ける電子機器であって、
前記電子機器の利用の際に供される画像を表示する第１表示部と、
利用者が個人情報を入力するための入力部と、
前記入力部によって入力された個人情報を表示する第２表示部と、を備え、
前記第１表示部が表示する画像の中には、個人情報の入力を促す画像が含まれており、
前記入力部は前記第２表示部と連動して、個人情報の入力を受け付けない第１位置と、個人情報の入力を受け付ける第２位置との間を移動する、
ことを特徴とする。
【発明の効果】
【０００８】
本発明によれば、個人情報を安心して入力することができる電子機器を提供することができる。
【図面の簡単な説明】
【０００９】
【図１】本発明の実施の形態１に係る電子機器の一つである自動販売機の斜視図。
【図２】図１中の“ＩＩ部”で示した個人情報入力部の拡大図であり、（ａ）は自動販売機本体に収容された第１位置にあるときの図、（ｂ）は個人情報の入力を受け付ける第２位置にあるときの図。
【図３】本発明の実施の形態１に係る電子機器の一つである自動販売機の構成図。
【図４】本発明の実施の形態２に係る電子機器の一つである自動販売機の個人情報入力部に着目した斜視図であり、（ａ）は自動販売機本体に収容された第１位置にあるときの図、（ｂ）は個人情報の入力を受け付ける第２位置にあるときの図。
【図５】本発明の実施の形態３に係る電子機器の一つである自動販売機の個人情報入力部に着目した斜視図であり、（ａ）〜（ｃ）は第１位置から第２位置までの変化の様子を示した図。
【図６】本発明の実施の形態４に係る電子機器の一つである自動販売機の個人情報入力部に着目した斜視図であり、（ａ）、（ｂ）は第１位置から第２位置までの変化の様子を示した図。
【図７】本発明の実施の形態５に係る電子機器の一つである自動販売機の個人情報入力部に着目した斜視図であり、（ａ）、（ｂ）は第１位置から第２位置までの変化の様子を示した図。
【図８】本発明の実施の形態６に係る電子機器の一つである自動販売機の個人情報入力部に着目した斜視図であり、（ａ）〜（ｃ）は第１位置から第２位置までの変化の様子を示した図。
【図９】本発明の実施の形態７に係る電子機器の一つである自動販売機の概略図。
【発明を実施するための形態】
【００１０】
以下、この発明の好適な実施の形態に係る電子機器の一つである自動販売機を、図面を参照しながら説明する。
【００１１】
（実施の形態１）
図１は、本発明の実施の形態１に係る電子機器の一つである自動販売機１の斜視図である。以下の説明において、発明の理解を容易にするために、図１の手前方向を自動販売機１の前方、奥方向を自動販売機１の後方とし、自動販売機１を前方から見たときの上下左右方向をそのまま自動販売機１の上下左右方向として説明する。なお、自動販売機１は、例えば、この自動販売機１が設置されている自治体の土産物を購入することができる自動販売機である。利用者は、代金を自動販売機１に支払うことで、自動販売機１から土産物である商品を受け取ったり、後日自宅まで商品を配送してもらったりすることができる。自動販売機１は、旅行者や出張者を対象として、駅、空港、ホテル等に設置される。
【００１２】
（自動販売機１の基本構成）
図１に示すように、自動販売機１は、直方体状に形成された金属製の自動販売機本体１０を備えている。自動販売機本体１０の前面１０ａには、タッチパネル２０と、商品を受け取るための商品受取口３０と、各種の方法で代金を支払うための支払部と、領収書を発行する領収書発行部４６と、個人情報の入力を受け付ける個人情報入力部５０とが配置されている。
【００１３】
タッチパネル２０は、第１表示部としてメインの表示部である液晶表示パネルと、入力部として画面が押圧された位置を検出する位置検出装置とを有している。タッチパネル２０は、土産物である商品を表す６つの商品画像２１ａ〜２１ｆ（これらを区別しない場合には、単に商品画像２１と記載する）を表示することで、販売する商品の一覧を表示している。商品画像２１には、商品の他、商品の提供を受けるのに必要な代金が表記されている。また、タッチパネル２０は、利用者が商品画像２１を押圧すると商品の詳細を表示したり、代金を支払うまでの操作を案内したりするなど、代金を支払って商品を受け取るまでの種々の画像を表示する。このように、タッチパネル２０は、自動販売機１の利用の際に供される種々の画像を表示する。なお、タッチパネル２０が表示する画像は、静止画及び動画を含み、これらの画像に音声を伴わせてもよい。
【００１４】
自動販売機１は、商品画像２１ａ及び商品画像２１ｂに表示された商品を内部に収容しており、商品を受け取るのに必要な額の代金の支払いが完了すると下部に設けられた商品受取口３０から商品を提供する。一方、自動販売機１は、商品画像２１ｃ〜２１ｆに表示された商品を内部に収容していない。そのため、これらの商品が選択された場合には、後日商品を自宅等に郵便、宅配便等で配送する手続きを行う。
【００１５】
自動販売機１は、支払部として、クレジットカード、電子マネー、及び現金での代金の支払いを受け付ける。クレジットカード読取機４１は、クレジットカード挿入口４１ａを有し、挿入されたクレジットカードの情報を読み取り決済する。紙幣識別機４２は、紙幣投入口４２ａを有し、投入された紙幣を識別する。硬貨識別機４３は、硬貨投入口４３ａを有し、投入された硬貨を識別する。投入された紙幣及び硬貨の合計金額は、合計金額表示部４４に表示される。近距離無線通信部４５は、タッチされた外部のＩＣチップと所定のプロトコルで通信する。近距離無線通信部４５にタッチされたＩＣカードに記録されている電子マネーの残高から代金を差し引くことで決済が完了する。
【００１６】
個人情報入力部５０は、代金を支払った者の氏名、住所等の個人情報の入力を受け付ける。個人情報入力部５０に入力された個人情報は、代金を支払ったことを証明する証明書に記載されるとともに、作成された証明書を商品購入者に送付する際に用いられる。また、入力された個人情報は、自動販売機１に収容されていない商品が選択された場合に、後日商品を郵便、宅配便等で配送する際にも用いられる。
【００１７】
図２は、図１中の“ＩＩ部”で示した個人情報入力部５０の拡大図であり、（ａ）は自動販売機本体１０に収容された第１位置にあるときの図、（ｂ）は個人情報の入力を受け付ける第２位置にあるときの図である。図２に示すように、個人情報入力部５０は、タッチパネル５１と、タッチパネル５１を保持するタッチパネル保持部５２とを備えている。
【００１８】
タッチパネル５１は、第２表示部としてサブの表示部である液晶表示パネルと、入力部として画面が押圧された位置を検出する位置検出装置とを有している。タッチパネル５１は、ひらがな、数字、その他の文字を表示する。利用者がこれら表示された文字を押圧することで、氏名、住所、電話番号等の個人情報を入力することができる。サブの表示部を有するタッチパネル５１は、メインの表示部を有するタッチパネル２０より小さい。
【００１９】
タッチパネル保持部５２は、前後方向に移動可能に自動販売機本体１０に設けられている。自動販売機本体１０の前面には、タッチパネル保持部５２の外形に合わせた開口１０ｂが形成されている。タッチパネル保持部５２は、開口１０ｂを通って前後方向に移動する。タッチパネル保持部５２は、断面が「コ」の字状に形成されており、底部５２ａと、底部５２ａの両縁から上方に延設された２つの遮蔽部５２ｂとを有している。底部５２ａの上面には、図２（ｂ）に示すように凹部５２ｃが形成されており、この凹部５２ｃにタッチパネル５１が収容され保持されている。
【００２０】
タッチパネル保持部５２の底部５２ａの前面には、利用者が指を引っ掛けてタッチパネル保持部５２を前方へ引き出すための引掛部５２ｄが形成されている。これにより、個人情報入力部５０は、図２（ａ）に示すように自動販売機本体１０に収容された第１位置と、図２（ｂ）に示すように自動販売機本体１０から突出した第２位置との間で移動する。個人情報入力部５０が第１位置にある場合、図２（ａ）に示すように、タッチパネル５１の画面に触れることができず、個人情報を入力することができない。一方、個人情報入力部５０が第２位置にある場合、図２（ｂ）に示すように、タッチパネル５１の画面は露出した状態にあり、画面にタッチしてタッチパネル５１を操作することが可能である。利用者は、個人情報を入力する場合、個人情報入力部５０を引き出して第２位置に移動させる。なお、タッチパネル５１は第２表示部と入力部とを構成要素として有していることから、タッチパネル５１が移動すると第２表示部と入力部とは連動する。
【００２１】
なお、個人情報入力部５０が第２位置にある場合、タッチパネル５１の両サイドには遮蔽板である遮蔽部５２ｂが上方に起立した状態にある。これにより、タッチパネル５１の画面が周囲の者から視認しづらくなり、個人情報が他人の目に触れることを抑制することができる。また、タッチパネル５１は、タッチパネル２０よりも小さく、自動販売機１の前方に立つ利用者の体で隠れてしまう。そのため、利用者は安心して個人情報を入力することができる。
【００２２】
また、個人情報入力部５０の直下には、自動販売機本体１０から突出した支持部５５が形成されている。支持部５５の上面は、前方に引き出された個人情報入力部の下面と当接する。これにより、自動販売機本体１０から突出した個人情報入力部５０を下方から支持し、タッチパネル５１をぐらつかせることなく安定させた状態で入力作業を行うことができる。
【００２３】
図３は、本発明の実施の形態１に係る電子機器の一つである自動販売機の構成図である。自動販売機１は、前述したタッチパネル２０、タッチパネル５１、近距離無線通信部４５、クレジットカード読取機４１、紙幣識別機４２、硬貨識別機４３、及び領収書発行部４６を備える他、処理部６０、記憶部６１、ネットワーク通信部６２、及び内蔵商品提供機構６３を備えている。
【００２４】
タッチパネル２０及びタッチパネル５１は、ユーザから操作の入力を受け付けるとともに、ユーザに情報を表示する。近距離無線通信部４５は、この近距離無線通信部４５にタッチした外部のＩＣチップと所定のプロトコルで通信する。クレジットカード読取機４１は、挿入されたクレジットカードの情報を読み取り決済する。紙幣識別機４２及び硬貨識別機４３は、利用者により投入された現金の検知と、投入された現金の収納を行う。領収書発行部４６は、代金が支払われたことを証明する領収書を発行する。処理部６０は、プログラムの実行により種々の機能を実現するプロセッサを備えている。記憶部６１は、ハードディスク等の記憶装置の記憶領域である。ネットワーク通信部６２は、コンピュータネットワークを通じて外部のコンピュータと通信する。内蔵商品提供機構６３は、自動販売機１に収容されている商品が選択された場合に、当該商品を商品受取口３０（図１）へと導く。
【００２５】
記憶部６１は、提供する商品のレコードを商品ごとに記憶する。商品のレコードの構造は、商品ごとに固有の商品識別子と、商品紹介情報と、商品代金情報と、商品付加情報と、欠品情報とを関連付ける。商品紹介情報は、商品画像と商品説明とを含む。商品代金情報は、商品の提供を受けるのに必要な代金を示す。商品付加情報は、配送地域、おすすめ商品、収容商品又は配送商品の別の情報を含む。
【００２６】
（自動販売機の動作について）
次に、自動販売機１の動作について説明する。
【００２７】
（商品の表示、選択）
処理部６０は、収容商品及び配送商品の一覧をタッチパネル２０に表示する。利用者は、タッチパネル２０に表示された商品の一覧から、購入したい商品を選択する。
【００２８】
（商品の受取方法）
選択した商品が配送商品であれば、その商品は自宅等の指定した住所に配送して受け取る。
【００２９】
（個人情報の入力）
続いて処理部６０は、個人情報入力部５０（図１）を引き出してタッチパネル５１に個人情報を入力する旨の表示をタッチパネル２０に行う。例えば、タッチパネル２０に「右側のタッチパネル５１を引き出してご入力ください」と表示する。処理部６０は、タッチパネル５１に、氏名、住所、電話番号を入力する旨の表示を行うとともに、ひらがな、数字、その他の文字を表示するなど、個人情報を入力するための画像を表示する。利用者がこれら表示された文字を押圧することで、氏名、住所、電話番号等の個人情報を入力することができる。タッチパネル５１に個人情報が入力され、入力に誤りがないことの確認の操作がなされると、処理部６０は、個人情報入力部（図１）を押し戻して元の第１位置まで戻すことを促す表示をタッチパネル２０に行う。
【００３０】
続いて処理部６０は、メインの表示部を有するタッチパネル２０に、商品、金額、及び入力された個人情報を確認するための画面を表示する。ただし、入力された個人情報は、周囲の者に視認される恐れもあることから、一部だけを表示するようにしてもよい。あるいは、サブの表示部を有するタッチパネル５１で確認済みであることから、タッチパネル２０での個人情報の表示を省略してもよい。これにより、個人情報が周囲の者に見られ難く、利用者は安心して自動販売機１の操作を続けることができる。なお、商品、及び金額の確認も、サブの表示部を有するタッチパネル５１で行うようにして、メインの表示部を有するタッチパネル２０でこれらを行わないようにしてもよい。
【００３１】
（代金の支払い）
利用者は、現金、電子マネー、あるいはクレジットカードなどで決済する。
【００３２】
（配送による商品の受取）
処理部６０は、配送により受け取る商品の注文をネットワーク通信部６２を通じて販売者のシステムに送信し、販売者は商品を発送する。
【００３３】
（領収書の発行）
処理部６０は、代金の支払いが完了した後に、代金を支払ったことを証明する領収書を領収書発行部４６から発行する。領収書には、代金、選択した商品、及び商品の受取方法が記載されている。
【００３４】
（本発明の効果）
上記で説明した実施の形態１に係る電子機器の一つである自動販売機１は、自動販売機本体１０の前面に設けられたメインの表示部を有するタッチパネル２０とは別に、氏名や住所等の個人情報を入力するためのサブの表示部を有するタッチパネル５１を備えている。サブの表示部を有するタッチパネル５１は、メインの表示部を有するタッチパネル２０よりも小さく、自動販売機１の前方に立つ利用者の体で隠すことができる。そのため、利用者は安心してタッチパネル５１に個人情報を入力することができる。
【００３５】
また、タッチパネル５１の両サイドに、遮蔽部５２ｂを上方に起立させている。これにより、タッチパネル５１の画面が周囲の者から視認しづらくなり、個人情報が他人の目に触れることを抑制することができる。そのため、利用者は安心して個人情報を入力することができる。
【００３６】
また、タッチパネル５１を有する個人情報入力部５０は、不使用時には自動販売機本体１０に収容された第１位置にある。そのため、使用しないときに個人情報入力部５０が邪魔になることがなく、自動販売機１に表示された商品を快適に選択することができる。
【００３７】
また、個人情報入力部５０は、タッチパネル５１の両サイドに遮蔽部５２ｂが立設した状態のまま、第１位置と第２位置との間を移動する。そのため、個人情報入力部５０を引き出したときには、必ず、タッチパネル５１の両サイドに遮蔽部５２ｂが立設された状態となり、入力した個人情報が周囲の者から見られることを抑制することができる。
【００３８】
また、個人情報入力部５０の直下には、引き出された個人情報入力部５０を下方から支持する支持部５５が形成されている。これにより、個人情報入力部５０をぐらつかせることなく安定させた状態で入力作業を行うことができる。
【００３９】
また、個人情報を入力するタイミングで、メインの表示部を有するタッチパネル２０に、個人情報入力部５０（図１）を引き出してタッチパネル５１に個人情報を入力する旨の表示を行う。これにより、利用者は、タッチパネル５１で個人情報を入力すべきであることを理解することができ、入力作業をスムーズに実行することができる。
【００４０】
また、入力した個人情報の確認作業を、サブの表示部を有するタッチパネル５１で行うことができる。これにより、個人情報が周囲の者に見られ難く、安心して自動販売機１の操作を続けることができる。さらに、タッチパネル２０を操作することで購入した商品や、その商品の購入額といった私的な事項の確認もタッチパネル５１で行うことができ、利用者のプライバシーを保護することができる。すなわち、タッチパネル５１で、タッチパネル２０にされた操作に対応する内容を確認することができる。
【００４１】
この発明は、上記実施の形態に限定されず、様々な変形及び応用が可能である。上記の形態では、個人情報入力部５０は前後方向に移動することで、自動販売機本体１０に収容された第１位置と、自動販売機本体１０から突出して個人情報を入力可能な第２位置との間で移動すると説明した。しかしながら、個人情報入力部５０の動作は前後方向の移動に限定されない。次に、実施の形態２として、回動させることで第１位置と第２位置との間で移動する個人情報入力部を備えた自動販売機について説明する。なお、以下で説明する実施の形態は、上記実施の形態１の構成と同様の構成を多く有している。そのため、以下の実施の形態の説明では、異なる構成を中心に説明し、同様の構成については同じ符号を付して説明を省略する場合があるものとする。
【００４２】
（実施の形態２）
図４は、本発明の実施の形態２に係る電子機器の一つである自動販売機の個人情報入力部１５０に着目した斜視図であり、（ａ）は自動販売機本体１１０に収容された第１位置にあるときの図、（ｂ）は個人情報の入力を受け付ける第２位置にあるときの図である。
【００４３】
図４に示すように、個人情報入力部１５０は、タッチパネル５１と、タッチパネル５１を保持するタッチパネル保持部１５２とを備えている。なお、タッチパネル５１の構成は、上記実施の形態１と同様であるため、同一の符号を付している。
【００４４】
タッチパネル保持部１５２は、回動軸Ｒを中心に回動するように自動販売機本体１１０に取り付けられている。自動販売機本体１１０の前面には、タッチパネル保持部１５２の底部１５２ａを収容するための凹部である第１収容部１１０ａと、タッチパネル保持部１５２の遮蔽部１５２ｂを収容するための凹部である第２収容部１１０ｂとが形成されている。タッチパネル保持部１５２は、断面が「コ」の字状に形成されており、底部１５２ａと、底部１５２ａの両縁から立設された２つの遮蔽部１５２ｂとを有している。底部１５２ａには凹部１５２ｃが形成されており、この凹部１５２ｃにタッチパネル５１が収容され保持されている。
【００４５】
タッチパネル保持部１５２の底部１５２ａには、利用者が指を引っ掛けてタッチパネル保持部１５２を回動させるための引掛部１５２ｄが形成されている。これにより、個人情報入力部１５０は、図４（ａ）に示すように自動販売機本体１１０に収容された第１位置と、図４（ｂ）に示すように自動販売機本体１１０に対して垂直な第２位置との間で移動することができる。個人情報入力部１５０が第２位置にある場合、図４（ｂ）に示すように、タッチパネル５１の画面は露出した状態にあり、画面にタッチしてタッチパネル５１を操作することができる。利用者は、個人情報入力部１５０を回動させて第２位置とすることで、個人情報を入力することができる。
【００４６】
なお、タッチパネル５１の両サイドに設けられた遮蔽板である遮蔽部１５２ｂについては、実施の形態１における遮蔽部５２ｂと同様である。
【００４７】
なお、タッチパネル保持部１５２の底部１５２ａには、回動するタッチパネル保持部１５２を所定位置で停止させるための２つの支持部１５５が形成されている。図４（ａ）に示すように、２つの支持部１５５は、それぞれ当接面１５５ａを有している。この当接面１５５ａが自動販売機本体１１０の前面に当接することで、タッチパネル保持部１５２の回動が停止する。そして、図４（ｂ）に示すように個人情報入力部１５０が、支持部１５５により支持され第２位置にある状態が保持される。これにより、タッチパネル５１をぐらつかせることなく安定させた状態で入力作業を行うことができる。このようにして第２位置に移動してきた個人情報入力部１５０の重心位置は、第１位置にある個人情報入力部１５０の重心位置よりも前方に位置している。すなわち、個人情報入力部１５０は、図４（ａ）から図４（ｂ）に示す回動をすることによって、前方へと移動する。なお、タッチパネル保持部１５２の回動を停止させる方法としては、上記に限定されない。例えば、タッチパネル保持部１５２の左右に金属製の扇型の支えを取り付け、タッチパネル保持部１５２が水平の状態にまで開いたときに支えが伸びきって停止させる方法を採用してもよい。
【００４８】
このように、個人情報を入力しない場合には、第１収容部１１０ａと第２収容部１１０ｂとに個人情報入力部１５０を収容することができる。そのため、使用しないときに個人情報入力部１５０が邪魔になることがなく、自動販売機に表示された商品を快適に選択することができる。
【００４９】
また、個人情報を入力する場合には、引掛部１５２ｄに指を引っ掛けて個人情報入力部１５０を回動させるだけでよく、個人情報入力部１５０を第１位置から第２位置へ容易に移動させることができる。その他の効果についても、上記実施の形態１と同様の効果を奏する。
【００５０】
（実施の形態３）
上記実施の形態では、自動販売機本体に個人情報入力部の収容部を形成している場合について説明した。しかしながら、自動販売機本体にこのような収容部を設けることなく、個人情報入力部を自動販売機本体の表面に取り付ける態様としてもよい。図５は、本発明の実施の形態３に係る電子機器の一つである自動販売機の個人情報入力部に着目した斜視図であり、（ａ）〜（ｃ）は第１位置から第２位置までの変化の様子を示した図である。
【００５１】
図５に示すように、個人情報入力部２５０は、タッチパネル５１と、タッチパネル５１を保持するタッチパネル保持部２５２と、タッチパネル保持部２５２に回動可能に取り付けられた遮蔽板２５３、２５４とを備えている。タッチパネル５１の構成は、上記したタッチパネルの構成と同様である。
【００５２】
タッチパネル保持部２５２は、ピン２６０を介して取付プレート２６１、２６２に回動可能に支持されている。なお、取付プレート２６１、２６２は、自動販売機本体２１０の前面に取り付けられている。これによりタッチパネル５１は、図５（ａ）に示すように自動販売機本体２１０の表面に接した起立した状態と、図５（ｂ）に示すように自動販売機本体２１０に対して垂直な状態との間で変化する。
【００５３】
遮蔽板２５３、２５４は、例えば不透明な合成樹脂から形成されており、３ｃｍ〜５ｃｍの幅Ｗを有している。遮蔽板２５３、２５４は、タッチパネル保持部２５２の左右両サイドに回動可能に取り付けられている。これにより、遮蔽板２５３、２５４は、図５（ｂ）に示すようにタッチパネル５１上に倒れ込んだ状態と、図５（ｃ）に示すようにタッチパネル５１の両サイドで起立した状態との間で変化する。
【００５４】
個人情報入力部２５０の直下には、自動販売機本体２１０から突出した支持部２５５が形成されている。支持部２５５の上面は、倒れてきた個人情報入力部２５０の下面と当接する。これにより、個人情報入力部２５０をぐらつかせることなく安定させた状態で入力作業を行うことができる。
【００５５】
個人情報入力部２５０は、個人情報を入力しないとき、図５（ａ）に示すように自動販売機本体２１０の表面を覆う起立した状態にされる。個人情報を入力するとき、利用者は、個人情報入力部２５０を矢印Ｙ１の方向に図５（ｂ）に示す位置まで回動させる。そして、遮蔽板２５３を矢印Ｙ２の方向に回動させて起立させるととともに、遮蔽板２５４を矢印Ｙ３の方向に回動させて起立させる。これにより、図５（ｃ）に示すように、タッチパネル５１の両サイドに、Ｗの高さを有する遮蔽板２５３、２５４を起立させることができる。なお、遮蔽板２５３、２５４は、不透明な材料から形成されていることから、左右の者からタッチパネル５１の画面を視認させづらくすることができる。その他の効果についても上記の形態と同様である。
【００５６】
（実施の形態４）
上記実施の形態３において、遮蔽板２５３、２５４は、回動可能な構成とされ個人情報を入力しない時にはタッチパネル５１上に倒れた状態にあった。しかしながら、遮蔽板は、回動可能な構成とせずに常に起立した状態とすることもできる。図６は、本発明の実施の形態４に係る電子機器の一つである自動販売機の個人情報入力部に着目した斜視図であり、（ａ）、（ｂ）は第１位置から第２位置までの変化の様子を示した図である。なお、支持部２５５は、図５に示す支持部２５５と同様の構成であるため、同じ符号を付している。
【００５７】
図６（ａ）、（ｂ）に示すように、個人情報入力部３５０は、遮蔽板３５３、３５４をタッチパネル保持部３５２から起立させた状態のまま、第１位置（図６（ａ））と第２位置（図６（ｂ））との間を回動する。利用者は、個人情報を入力するときに、個人情報入力部３５０を矢印Ｙ４の方向に回動させて、図６（ｂ）に示す水平となる位置まで移動させる。これにより、図６（ｂ）に示すように、タッチパネル５１の両サイドに、Ｗの高さを有する遮蔽板３５３、３５４が起立し、左右の者からタッチパネル５１の画面を視認させづらくすることができる。
【００５８】
なお、図６（ａ）に示すように、個人情報入力部３５０が第１位置にある場合、後方に向けて遮蔽板３５３、３５４が起立した状態にあるため、タッチパネル５１の画面は遮蔽板３５３、３５４の幅Ｗ以上、自動販売機本体３１０の表面から離間する。すなわち、図６（ａ）に示す個人情報入力部３５０は、遮蔽板２５３、２５４が倒れた状態にある図５（ａ）に示す個人情報入力部２５０よりも前方に位置することになる。そのため、個人情報入力部３５０を回動可能に支持する取付プレート３６１、３６２は、図５に示す取付プレート２６１、２６２よりも大きく前方に突出するように形成される。例えば、図６に示すものよりも幅の大きな遮蔽板を採用する場合には、取付プレート３６１、３６２をより長くして、自動販売機本体３１０の表面から前方に大きく突出させるようにすればよい。
【００５９】
（実施の形態５）
上記において、遮蔽板は、タッチパネル保持部に取りつけられて、タッチパネル保持部とともに移動する形態について説明した。しかしながら、遮蔽板を、タッチパネル保持部と物理的に分離させて一緒に動作させない構成を採用することもできる。図７は、本発明の実施の形態５に係る電子機器の一つである自動販売機の個人情報入力部に着目した斜視図であり、（ａ）、（ｂ）は第１位置から第２位置までの変化の様子を示した図である。
【００６０】
図７に示すように、個人情報入力部４５０は、タッチパネル５１と、タッチパネル５１を保持するタッチパネル保持部４５２とを備えている。タッチパネル保持部４５２の左右両サイドには、遮蔽板４５３、４５４が配置されている。遮蔽板４５３、４５４は、矩形状のプレートからなり、一端が自動販売機本体４１０に固定されている。遮蔽板４５３、４５４にはピン４６０が設けられており、遮蔽板４５３、４５４はピン４６０を介してタッチパネル保持部４５２を回動可能に支持している。
【００６１】
個人情報入力部４５０は、個人情報を入力しないとき、図７（ａ）に示すように自動販売機本体４１０の表面を覆う起立した第１位置にある状態にされる。個人情報を入力するとき、利用者は、個人情報入力部４５０を矢印Ｙ５の方向に回動させ、図７（ｂ）に示す第２位置まで移動させる。これにより、個人情報入力部４５０の両サイドに、遮蔽板４５３、４５４を起立させた状態とすることができる。このように、遮蔽板４５３、４５４は、第２位置まで移動してきた個人情報入力部４５０の両サイドに起立する位置に予め配置されている。これにより、個人情報を入力する際に、個人情報入力部４５０の両サイドに必ず遮蔽板４５３、４５４を起立することになるので、利用者は安心して個人情報を入力することができる。
【００６２】
（実施の形態６）
上記実施の形態５においては、自動販売機本体に固定されて動かない遮蔽板について説明した。しかしながら、個人情報入力部から分離した遮蔽板を独立で動作させる構成を採用することもできる。図８は、本発明の実施の形態６に係る電子機器の一つである自動販売機の個人情報入力部に着目した斜視図であり、（ａ）〜（ｃ）は第１位置から第２位置までの変化の様子を示した図である。
【００６３】
図８に示すように、個人情報入力部５５０は、タッチパネル５１と、タッチパネル５１を保持するタッチパネル保持部５５２とを備えている。また、タッチパネル保持部５５２の左右両サイドには、遮蔽板５５３、５５４が配置されている。遮蔽板５５３、５５４は、矩形状のプレートからなる。
【００６４】
タッチパネル保持部５５２及び遮蔽板５５３、５５４は、それぞれが独立して回動可能なようにピン５６０を介して取付プレート５６１、５６２に支持されている。取付プレート５６１、５６２は、自動販売機本体５１０の前面に取り付けられて不動である。
【００６５】
個人情報入力部５５０は、個人情報を入力しないとき、図８（ａ）に示すように自動販売機本体５１０の表面を覆う起立した第１位置にある。同様に、遮蔽板５５３、５５４も起立した状態にされる。そして個人情報を入力するとき、利用者は、個人情報入力部５５０を矢印Ｙ６の方向に回動させ図８（ｂ）に示す第２位置まで移動させる。続いて、利用者は、遮蔽板５５３を矢印Ｙ７の方向に回動させるとともに、遮蔽板５５４を矢印Ｙ８の方向に回動させる。回動させた遮蔽板５５３、５５４は、やがて支持部２５５に当接して、図８（ｃ）に示す位置で停止する。これにより、個人情報を入力する際に、個人情報入力部５５０の両サイドに遮蔽板５５３、５５４を起立させることができるので、利用者は安心して個人情報を入力することができる。
【００６６】
上記実施の形態３〜６（図５〜８を用いて説明）においては、個人情報入力部を自動販売機本体の外側に取り付けた電子機器について説明した。しかしながら、第１位置にある個人情報入力部及び遮蔽板を、図４に示すように、自動販売機本体に形成された凹部である収容部に収容する形態を採用してもよい。この場合、実施の形態４（図６）及び実施の形態６（図８）においては、図４に示す形態と同様に、タッチパネル保持部用の収容部と遮蔽板用の収容部とを設ければよい。一方、実施の形態３（図５）においては、個人情報入力部が第１位置にある場合に遮蔽板は倒れた状態にあるため、遮蔽板用の収容部を別途設ける必要がない。また、実施の形態５（図７）においても、遮蔽板は自動販売機本体から突出した状態で不動であるため、遮蔽板用の収容部を自動販売機本体に別途設ける必要がない。
【００６７】
また、個人情報入力部の移動態様は、上記実施の形態１〜６で説明した形態に限定されない。例えば、個人情報入力部が第１位置にある場合に、操作画面は前方（利用者側）を向くように自動販売機本体に取り付け、個人情報入力部の下方を手前側に引き上げて操作画面が上方を向くように移動させることで、個人情報入力部を第２位置へ移動させる構成であってもよい。この構成により、個人情報入力部の下部を引き上げて第２位置へ移動させることで前方へと移動する。このように、個人情報入力部は、個人情報の入力を受けつけない第１位置にある状況では、画面を前方に向けて周囲の者から視認しやすい状態にある。個人情報入力部がこのような状態にある場合、メインの表示部を有するタッチパネルに商品を紹介する画像を表示するようにしてもよい。一方、個人情報の入力を受け付ける第２位置にある個人情報入力部は、サブの表示部を有するタッチパネルの画面が利用者の視線を向くように上方に向けられている。そのため、利用者はタッチパネルの画面を視認しやすい一方で、周囲の者はタッチパネルの画面は視認しづらい。そのため、利用者は安心してタッチパネルに個人情報を入力することができる。さらに、タッチパネルの画面に視野角を制限するフィルムを貼付することで、左右の者から画面を視認しづらくしてもよい。また、広視野角表示と狭視野角表示とを切り替えることができるタッチパネルを採用して、個人情報を入力する際にはソフトウェアのプログラムによって狭視野角表示となるように表示を切り替えるようにしてもよい。
【００６８】
また、上記実施の形態２〜６では、個人情報を入力しない場合に操作画面が自動販売機本体側を向くように配置し、個人情報を入力するときに個人情報入力部の上部を手前に引いて操作画面が上方を向くように移動させた。しかしながら、操作画面とは反対の面が自動販売機本体の表面に接する状態で個人情報入力部を取り付け、下部を手前に引き上げることで個人情報入力部を第２位置へ移動させる構成であってもよい。
【００６９】
また、上記実施の形態１〜６では、タッチパネルがタッチパネル保持部を介して自動販売機本体に移動可能に取り付けられている場合について説明した。しかしながら、タッチパネルの取り付け方はこのような形態に限定されるものではなく、例えばタッチパネルが直接自動販売機本体に移動可能に取り付けられた形態であってもよい。この場合、タッチパネルを第２位置で停止させるストッパは、タッチパネルの背面に直接設置すればよい。このような構成を採用する場合、タッチパネルそのものが、個人情報入力部を構成することになる。
【００７０】
また、上記実施の形態１〜６では、個人情報を入力するための装置としてタッチパネルを有していると説明したが、その他の装置を採用することもできる。例えば、キーボードと、キーボードの入力内容を確認することができる表示装置とを備えた個人情報入力装置を採用してもよい。この場合においても、キーボードと表示装置とを連動させて、第１位置と第２位置との間で移動させればよい。
【００７１】
また、上記実施の形態１〜６では、個人情報入力部は手動で第１位置と第２位置との間を移動させていたが、別途個人情報入力部を移動させる駆動部を設けてもよい。これにより、個人情報を入力するタイミングで個人情報入力部が自動で動くために、動作する個人情報入力部に気づき、次にやるべき操作が個人情報を入力する操作であると認識させることができる。そのため、個人情報の入力手続きをスムーズに実行させることができる。また、個人情報の入力が完了した後は、駆動部により個人情報入力部を自動で第２位置から第１位置へと移動させる。また、図５に示す遮蔽板２５３、２５４の動作も、手動に限定されず、遮蔽板２５３、２５４を動作させる駆動部を設けて、個人情報を入力するタイミングに合わせて自動で遮蔽板２５３、２５４を動作させてもよい。
【００７２】
また、上記実施の形態１〜６において、個人情報を入力するタイミングでは、メインの操作画面を有するタッチパネル２０に、個人情報の入力を促す画像を表示してもよい。一例として、タッチパネル２０に、「氏名、住所、電話番号を入力してください」という文字を表示し、それと同時にあるいはその後に、個人情報入力部を第１位置から第２位置へ自動で移動させてもよい。また、手入力、ＩＣカード、あるいは携帯アプリ等で入力した個人情報に誤りがあり、タッチパネル２０において個人情報を修正する旨の操作がなされると、個人情報入力部を第１位置から第２位置へ自動で移動させるようにしてもよい。また、サブの表示部を有するタッチパネルで、商品、金額、及び入力された個人情報を確認する場合においても、メインの表示部を有するタッチパネルに、確認を促す画像や映像を表示してもよい。一例として、タッチパネルに「右側のタッチパネル５１をご確認ください」という文字を表示し、それと同時にあるいはその後に、個人情報入力部を第１位置から第２位置へ自動で移動させてもよい。また、利用者による確認が完了した場合には、個人情報入力部を第２位置から第１位置へ自動で移動させてもよい。
【００７３】
また、タッチパネルの両サイドに設けた遮蔽部のそれぞれは、一枚のプレート状の遮蔽板であると説明したが、他の形態のものであってもよい。例えば、遮蔽部を互いにスライド可能な複数枚のプレートから構成し、個人情報入力部が第２位置にある時に、重なり合ったプレートをスライドさせて上方に向けて延設させる構成であってもよい。
【００７４】
また、タッチパネルの両サイドに設けた遮蔽部において、その前後方向の長さはタッチパネルの前後方向の長さ以上に設定されており、タッチパネルの両サイド全域が遮蔽部に覆われていた。しかしながら、遮蔽部は、このような態様に限定されず、例えば、タッチパネルの文字等を入力する入力部を覆うことなく、表示部に対応する奥側の範囲のみ（例えば、奥側半分だけ）に設置する態様であってもよい。これにより、入力部への入力作業が遮蔽部に邪魔されることなく容易に行うことができる。
【００７５】
また、自動販売機の右側が壁面に密着して設置される場合、右方からタッチパネルの表示部が視認される恐れはない。このような場合、右側の遮蔽部を省略することができる。同様に、左方からタッチパネルの表示部が視認される恐れがない場合には、左側の遮蔽部を省略することができる。さらに、自動販売機がカーテンで覆われていたり、利用者の後方に人が入れないような位置に自動販売機が配置されたりする場合、タッチパネルの表示部が視認される恐れがないことから、左右の遮蔽部を省略することができる。
【００７６】
また、上記実施の形態１に係る電子機器の一つである自動販売機１の自動販売機本体１０には、「コ」の字状のタッチパネル保持部５２の形状に合わせた開口１０ｂが形成されていると説明した。すなわち、開口１０ｂも「コ」の字状に形成されていた。しかしながら、自動販売機本体１０に形成する開口の形状は任意であり、例えば、矩形状の開口を形成するようにしてもよい。こうすることで、個人情報入力部５０が自動販売機本体１０に収容された第１位置にあったとしても、開口を通してタッチパネル５１を視認することができる。これにより、個人情報を入力する際、スムーズにタッチパネル５１をみつけて個人情報を入力することができる。なお、自動販売機本体１０に形成した開口に、開閉可能な蓋を設置してもよい。これにより、開口からの塵や埃の進入を抑制することができる。個人情報を入力するときには、蓋を開いて個人情報入力部５０を引き出すようにすればよい。なお、このように設置する蓋を透明な材料から形成してよい。これにより、蓋が閉じた状態にあったとしてもタッチパネル５１を視認することができ、スムーズに個人情報の入力を行うことができる。
【００７７】
また、個人情報入力部を下方から支持する支持部は、図２に示す支持部５５や、図４に示す支持部１５５の態様に限定されない。例えば、２本の金具が回転可能に接続された支持部であって、互いに平行な状態から一方の金具を９０°回転させてＬ字状をなす状態に変化させることが可能な支持部を採用してもよい。この場合、一方の金具を自動販売機本体に取り付け、他方の金具に個人情報入力部を取り付ければよい。これにより、個人情報入力部の下方を引き上げて、２本の金具をＬ字状をなす状態で固定することで、操作画面が上方を向いた姿勢で個人情報入力部を固定することができる。これにより、個人情報入力部を支持部によって支持することができる。
【００７８】
また、上記実施の形態１〜６では、個人情報を入力するためのタッチパネルが第２位置にある場合、画面は上方に向けられるものとして説明した。しかしながら、第２位置にある時のタッチパネルの画面が向く方向は任意であり、以下で前方に画面を向けた状態で個人情報を入力する自動販売機について説明する。
【００７９】
（実施の形態７）
図９は、本発明の実施の形態７に係る電子機器の一つである自動販売機の概略図である。なお、図９に示す自動販売機６００は、発明の理解を容易にするために、メインの表示部を有するタッチパネル６２０と、サブの表示部を有するタッチパネル６５０とを図示し、それ以外の構成については図示を省略している。
【００８０】
図９に示すように、自動販売機本体６１０の前面６１０ａには、タッチパネル６２０とタッチパネル６５０とが並んで配置されている。タッチパネル６２０とタッチパネル６５０は、前面６１０ａに固定されているため不動である。そのため、タッチパネル６５０は、画面を前方に向けたまま個人情報が入力される。
【００８１】
タッチパネル６５０の両サイドには、前面６１０ａから立設した遮蔽板６５１、６５２が設けられている。この遮蔽板６５１、６５２は、前面６１０ａから立設された状態で固定されたものであってもよいし、通常時には自動販売機本体６１０に収容され個人情報を入力する際には引き出して用いられるものであってもよい。これにより、タッチパネル６５０の両サイドに遮蔽板６５１、６５２を立設させた状態で、個人情報を入力することができる。
【００８２】
このように遮蔽板６５１、６５２を設けることで、自動販売機６００の左右の方向にいる者からタッチパネル６５０に入力された内容を視認されにくくすることができる。また、サブの表示部を有するタッチパネル６５０は、小さいために自動販売機６００の前方に立つ利用者の体によって前方が覆われる。そのため、自動販売機６００の前方にいる者からも、個人情報が入力されるタッチパネル６５０を視認することができない。これにより、利用者は安心してタッチパネル６５０に個人情報を入力することができる。なお、タッチパネル６５０が前方にいる利用者の体によって十分に隠れることで、左右の者からも視認されにくい場合には、遮蔽板６５１、６５２を省略することができる。また、タッチパネル６５０の画面に視野角を制限するフィルムを貼付することで、左右の者から画面を視認しづらくしてもよい。また、広視野角表示と狭視野角表示とを切り替えることができるタッチパネル６５０を採用して、個人情報を入力する際にはソフトウェアのプログラムによって狭視野角表示に表示を切り替えるようにしてもよい。このようにすることで、周囲の者からタッチパネル６５０の画面を視認しにくくすることができ、利用者は安心して個人情報を入力することができる。
【００８３】
なお、遮蔽板は、タッチパネル６５０の左右のみに設けたが、タッチパネル６５０の上方に設けてもよい。また、タッチパネル６５０をタッチパネル６２０の右側に配置した例について説明したが、タッチパネル６５０の配置は任意である。例えば、タッチパネル６２０の下方に設けてもよい。この場合、タッチパネル６５０が上方から覗かれやすくなることから、遮蔽板をタッチパネル６５０の上方に設けるようにすればよい。
【００８４】
また、上記実施の形態１〜７において、個人情報を入力するための装置は、電子機器の一つである自動販売機に備えられているものとして説明したが、このような態様に限定されるものではない。例えば、個人情報を入力する場面で、自動販売機に無線あるいは有線の通信で繋げた利用者のスマートフォンあるいはタブレット型端末（以下、これらの総称としてモバイル端末と記載する）に個人情報の入力画面を表示するようにしてもよい。利用者は、モバイル端末に個人情報を入力し送信することにより、個人情報を自動販売機のシステムに登録することができる。このようにして自動販売機に登録された個人情報を、メインの表示部を有するタッチパネルに表示してもよい。これにより、利用者は入力した個人情報に誤りがないか確認することができる。なお、メインの表示部を有するタッチパネルに表示する個人情報は、周囲の者に視認される恐れもあることから、一部だけを表示するようにしてもよい。
【００８５】
あるいは、モバイル端末にインストールしたアプリを用いて個人情報を入力してもよい。入力した個人情報はサーバーに送られ、サーバーから自動販売機あるいは自動販売機のバックヤードシステムに送信される。
【００８６】
あるいは、個人情報を入力する場面で、メインの表示部を有するタッチパネルに、個人情報を入力する画面のアドレスを含んだ二次元コードを表示してもよい。利用者は、モバイル端末で表示された二次元コードを読み込み、個人情報入力システムにアクセスしたモバイル端末から個人情報を入力することができる。
【００８７】
このように、利用者が有するモバイル端末を用いることで、利用者は安心して個人情報を入力することができる。なお、モバイル端末で個人情報を入力する手段を設けたとしても、モバイル端末を持っていない者に配慮して上述した個人情報を入力するための装置を自動販売機が備えるようにしてもよい。
【００８８】
また、上記実施の形態１〜７に係る電子機器の一つである自動販売機は、金銭の支払いを受けて選択された商品を商品受取口から提供したり、あるいは配送によって商品を提供したりするためのものであると説明したが、その他の用途にも用いることができる。例えば、自動販売機が設置された自治体に対する税金の支払いを受け付けるとともに、税金の支払いに対する返礼品を提供する自動販売機として用いてもよい。この場合、タッチパネルに表示される商品画像には、返礼品の画像と、その返礼品を受けるのに必要な納税額とが表示される。
【００８９】
また、個人情報入力部の構成は、自動販売機への適用のみに限定されず、個人情報を入力する各種の電子機器に適用することができる。例えば、公共の場に設置されたデジタルサイネージに個人情報入力部を適用してもよいし、現金自動預け払い機に適用してもよいし、空港に設置された自動チェックイン機に適用してもよいし、飲食店に設置された順番待ちの受付機に適用してもよい。これらの各種機器が公共の場に設置されていたとしても、他人の目に触れることなく個人情報を入力することができる。
【００９０】
以上、実施の形態１〜７の電子機器の様々な特徴について説明してきたが、これらの特徴を適宜組み合わせて電子機器を構成してもよい。
【符号の説明】
【００９１】
１  自動販売機、１０  自動販売機本体、２０  タッチパネル、２１  商品画像、４１クレジットカード読取機、４２  紙幣識別機、４３  硬貨識別機、４５  近距離無線通信部、４６  領収書発行部、５０  個人情報入力部、５１  タッチパネル、５２  タッチパネル保持部、５２ｂ  遮蔽部、５５  支持部、６０  処理部、６１  記憶部
【図１】
2020017108.tif 000003
【図２】
2020017108.tif 000004
【図３】
2020017108.tif 000005
【図４】
2020017108.tif 000006
【図５】
2020017108.tif 000007
【図６】
2020017108.tif 000008
【図７】
2020017108.tif 000009
【図８】
2020017108.tif 000010
【図９】
2020017108.tif 000011